(57)【要約】【課題】エアカーテンの形成と遊技機の前扉に対するロック機能との両方を備えるとともに、それぞれの機能を有した手段を別個配設するものに比べ、設置時の作業性を向上させつつ設置スペースを低減させることができる島設備の台間装置を提供する。【解決手段】島設備Ｓにおけるパチンコ遊技機Ｐの側方近傍に設置可能とされた装置本体２と、装置本体２内に配設されるとともに、当該装置本体２の前方に向かって送風することによりエアカーテンを形成可能なエアカーテン形成手段としてのファン部材３及びモータ４と、装置本体２内に配設されるとともに、パチンコ遊技機Ｐの前扉Ｐａを固定枠Ｐｂに対して開放するのを規制するロック位置と当該前扉Ｐａを固定枠Ｐｂに対して開放するのを許容する非ロック位置との間で移動可能なロック手段１３とを具備したものである。【選択図】図２
2011030914.tif 000002
【特許請求の範囲】
【請求項１】
島設備の隣接する遊技機間に設置される島設備の台間装置において、
前記島設備における遊技機の側方近傍に設置可能とされた装置本体と、
該装置本体に配設されるとともに、当該装置本体の前方に向かって送風することによりエアカーテンを形成可能なエアカーテン形成手段と、
前記装置本体に配設されるとともに、前記遊技機の前扉を固定枠に対して開放するのを規制するロック位置と当該前扉を固定枠に対して開放するのを許容する非ロック位置との間で移動可能なロック手段と、
を具備したことを特徴とする島設備の台間装置。
【請求項２】
前記ロック手段は、前記ロック位置にて前記遊技機の前扉と当接して当該前扉の開放を規制するフック状の当接部材を具備したことを特徴とする請求項１記載の島設備の台間装置。
【請求項３】
前記エアカーテン形成手段は、前記装置本体内で回転して送風可能なファン部材を具備したことを特徴とする請求項１又は請求項２記載の島設備の台間装置。
【発明の詳細な説明】
【技術分野】
【０００１】
本発明は、島設備の隣接する遊技機間に設置される島設備の台間装置に関するものである。
【背景技術】
【０００２】
通常、パチンコ店内に設置された島設備には、複数の遊技機（パチンコ遊技機やスロットマシン等）が並設されており、その隣接する遊技機間には台間装置が設置されている。然るに、遊技者の煙草の煙等が隣接した遊技機の遊技者に至ってしまうのを抑制すべく、従来より、前方に送風するファン等を設け、当該ファン等を駆動させることによりエアカーテンを形成可能な台間装置が提案されるに至っている。
【０００３】
例えば、特許文献１で開示されているように、台間装置内にファン等の送風機を配設するとともに、装置本体の前面側に空気の吸入口及び吐出口がそれぞれ形成され、当該送風機を駆動させることにより前方（遊技者側）に向かって吐出口から送風してエアカーテンを形成し得るようになっていた。かかるエアカーテンにより、隣の遊技機まで煙草の煙等が至ってしまうのを抑制することができる。
【０００４】
一方、従来より、パチンコ機等の遊技機において、前扉の不正開放を防止する装置としては、例えば特許文献２が提案されている。この不正開放防止装置は、閉塞位置と開放位置とに変位可能な平板状のストッパ片と、ソレノイドや固定ピン等を有する固定手段と、ソレノイドを駆動させる制御部等を備えている。そして、リモコン操作により制御部を介してソレノイドを駆動させて、ストッパ片を開放位置から閉塞位置に設定することにより、遊技機の前扉の不正開放を防止するようにしたものである。
【先行技術文献】
【特許文献】
【０００５】
【特許文献１】特開平１０−１１８３２７号公報
【特許文献２】特開２００８−２７２０００号公報
【発明の概要】
【発明が解決しようとする課題】
【０００６】
しかしながら、上記従来技術においては、専らエアカーテンを形成させるエアカーテン形成手段を具備させた台間装置と、専ら不正な開放を防止するべくロック手段を具備させた不正開放防止装置の両方の機能が要求される場合、それぞれ別個に配設する作業が必要となって作業効率が悪化してしまうとともに、それぞれの設置スペースが必要とされるという問題があった。
【０００７】
本発明は、このような事情に鑑みてなされたもので、エアカーテンの形成と遊技機の前扉に対するロック機能との両方を備えるとともに、それぞれの機能を有した手段を別個配設するものに比べ、設置時の作業性を向上させつつ設置スペースを低減させることができる島設備の台間装置を提供することにある。
【課題を解決するための手段】
【０００８】
請求項１記載の発明は、島設備の隣接する遊技機間に設置される島設備の台間装置において、前記島設備における遊技機の側方近傍に設置可能とされた装置本体と、該装置本体に配設されるとともに、当該装置本体の前方に向かって送風することによりエアカーテンを形成可能なエアカーテン形成手段と、前記装置本体に配設されるとともに、前記遊技機の前扉を固定枠に対して開放するのを規制するロック位置と当該前扉を固定枠に対して開放するのを許容する非ロック位置との間で移動可能なロック手段とを具備したことを特徴とする。
【０００９】
請求項２記載の発明は、請求項１記載の島設備の台間装置において、前記ロック手段は、前記ロック位置にて前記遊技機の前扉と当接して当該前扉の開放を規制するフック状の当接部材を具備したことを特徴とする。
【００１０】
請求項３記載の発明は、請求項１又は請求項２記載の島設備の台間装置において、前記エアカーテン形成手段は、前記装置本体内で回転して送風可能なファン部材を具備したことを特徴とする。
【発明の効果】
【００１１】
本発明によれば、装置本体にエアカーテン形成手段とロック手段との両方を具備しているので、エアカーテンの形成と遊技機の前扉に対するロック機能との両方を備えるとともに、それぞれの機能を有した手段を別個配設するものに比べ、設置時の作業性を向上させつつ設置スペースを低減させることができる。
【図面の簡単な説明】
【００１２】
【図１】本発明の実施形態に係る島設備の台間装置を示す正面図
【図２】同台間装置の内部構成を示す側面図
【図３】同台間装置を示す背面図
【図４】同台間装置を示す斜視図
【図５】同台間装置におけるエアカーテン形成手段（ファン部材及びモータ）を示す拡大図
【図６】同台間装置におけるロック手段（当接部材）を示す拡大図
【図７】同台間装置が適用されるパチンコ遊技機を示す正面図
【図８】同台間装置が適用されるパチンコ遊技機を示す側面図
【図９】同台間装置が設置される島設備全体を示す模式図
【発明を実施するための形態】
【００１３】
以下、本発明の実施形態について図面を参照しながら具体的に説明する。
本実施形態に係る島設備の台間装置は、図９に示すように、パチンコ遊技店における島設備Ｓの隣接するパチンコ遊技機Ｐ間に設置されるもので、図１〜６に示すように、装置本体２と、エアカーテン形成手段を構成するファン部材３及びモータ４と、ロック手段１３とを主に有して構成されている。尚、装置本体２には、エアカーテンを形成するための吸入口５ａ、５ｂ及び吐出口６が形成されている。
【００１４】
パチンコ遊技機Ｐは、図７、８に示すように、島設備Ｓに固定される固定枠Ｐｂと、固定枠Ｐｂに対して開閉自在とされた前扉Ｐａとを有しており、前扉Ｐａには、ガラス枠と遊技盤取付枠（内枠）とが形成されている。然るに、右側縁部に形成された鍵穴に鍵を差し込みつつ所定方向に回転させることにより、前扉Ｐａを固定枠Ｐｂに対して開放し得るようになっている。尚、同図中符号Ｐｃは、前扉Ｐａを固定枠Ｐｂに対して開閉可能とするヒンジを示している。
【００１５】
装置本体２は、台間装置１の筐体を成すもので全体として上下に細長い箱型形状とされており、島設備Ｓにおけるパチンコ遊技機Ｐの側方近傍に設置可能とされるとともに内部に種々構成要素が収容されている。かかる装置本体２は、上下寸法がパチンコ遊技機Ｐの高さ寸法と略同一とされており、その前面２ａを島設備Ｓの前方に臨ませつつ背面２ｂ及び側面２ｃ（上面及び下面も同様）を島設備Ｓ内に臨ませて固定されるようになっている。
【００１６】
かかる装置本体２には、その前面２ａ上部に操作手段７（後で詳述する）、表示灯９及び噴出口１０が形成されている。表示灯９は、複数個のＬＥＤで形成され、ファン部材３の駆動状態（モータ４の駆動状態）やロック機構１３の作動状態を点灯表示し得るようになっている。噴出口１０は、静電霧化微粒子水発生装置１１（図２参照）で生じた帯電微粒子水を前方（遊技者側）に噴霧させるための開口である。当該静電霧化微粒子水発生装置１１は、背面２ｂに設けたノズル１１ａから水を供給することにより、この水を静電霧化作用で帯電微粒子水とするためのものであり、これにより、遊技者近傍の空気が清浄化されたり加湿されて、快適な遊技空間が得られるようになっている。
【００１７】
更に、装置本体２内には、上下２つの仕切板１２が配設されており、それぞれの仕切板１２には検知センサ１４が配設されている。かかる検知センサ１４は、例えば光センサ等の非接触式センサ（若しくはマイクロスイッチ等の接触式センサであってもよい）で構成されており、パチンコ遊技機Ｐの前扉（ガラス枠及び遊技盤取付枠（内枠））の開閉状態を検知して不正開放を防止し得るようになっている。
【００１８】
ここで、本実施形態における装置本体２内には、当該装置本体２の前方（遊技者側）に向かって送風することによりエアカーテンを形成可能なエアカーテン形成手段（ファン部材３及びモータ４）と、パチンコ遊技機Ｐの前扉Ｐａを固定枠Ｐｂに対して開放するのを規制するロック位置と当該前扉Ｐａを固定枠Ｐｂに対して開放するのを許容する非ロック位置との間で移動可能なロック手段１３との両者が共に収容されている。
【００１９】
エアカーテン形成手段を構成するファン部材３は、所謂クロスフローファンと称されるファンから成り、図５に示すように、装置本体２内で上下方向に延びた回転軸Ｌを中心に回転可能に配設されるとともに、側面に送風のための羽根３ａが形成された略円筒状のものから成る。かかるファン部材３は、フレームＦにおいて回転自在に取り付けられており、当該フレームＦの上部にはモータ４が形成されている。
【００２０】
当該モータ４は、ファン部材３を回転軸Ｌを中心として回転駆動させるための駆動源である。而して、本実施形態においては、ファン部材３とモータ４とを同一フレームＦに組み付けて一体とすることにより送風ユニットＹを構成しており、当該送風ユニットＹが装置本体２内において上下方向に複数（本実施形態においては３つ）並設されている。尚、本実施形態においては、短い上下寸法の送風ユニットＹが２つ、長い上下寸法の送風ユニットＹが１つそれぞれ上下に並べられているが、全て同一の上下寸法とされた送風ユニットＹを複数配設するようにしてもよい。即ち、装置本体２に形成された吸入口５ａ、５ｂ及び吐出口６の形成位置や他の構成要素の配設関係に応じて送風ユニットＹを任意の位置で配設することができるのである。
【００２１】
吸入口５ａは、装置本体２の背面２ｂで開口し、ファン部材３の回転駆動により島設備Ｓ内の空気を当該装置本体２内に吸入し得るものであり、同様に、吸入口５ｂは、装置本体２の側面２ｃで開口し、ファン部材３の回転駆動により島設備Ｓ内の空気を当該装置本体２内に吸入し得るものである。然るに、本実施形態においては、吸入口５ａは、装置本体２の背面２ｂ及び側面２ｃに形成されているが、前面２ａ以外の他の面（装置本体２の上面又は下面）に形成するようにして、島設備Ｓ内の空気を当該装置本体２内に吸入するようにしてもよい。
【００２２】
また、図２中符号１６は吸入口５ａを覆った活性炭フィルタを示しており、当該活性炭フィルタ１６により島設備Ｓ内の空気を吸入する過程で濾過することができ、含有する塵や埃等を捕捉して浄化し、その浄化した空気を吐出口６から吐出させてエアカーテンを形成することができる。従って、島設備Ｓ内の空気を吸入してエアカーテンを形成するにあたり、遊技者側（島設備外部）に島設備Ｓ内の塵や埃等が噴出してしまうのを回避することができる。
【００２３】
吐出口６は、装置本体２の前面２ａ側で上下方向に延びてスリット状に開口し、ファン部材３の回転駆動により吸入口５ａ、５ｂから吸入した空気を吐出させることにより前方に向かって送風し得るものであり、かかる送風により隣接するパチンコ遊技機Ｐ間において所謂エアカーテンを形成することができる。即ち、本実施形態においては、吸入口５ａ、５ｂが装置本体２の背面２ｂ又は側面２ｃに形成されているため、吐出口６を装置本体２の前面２ａにおける広い範囲（ロック手段１３が形成された部位以外の上下方向略全域）に亘って形成させることができ、エアカーテンの高さ方向（上下方向）の幅（空気の流れで形成される壁の高さ）を大きく設定することができるのである。
【００２４】
更に、装置本体２の前面２ａ上部には、ファン部材３の駆動をオン・オフ操作（即ち、モータ４のオン・オフ操作）するための又は当該ファン部材３の回転速度を任意に調整するための操作手段７が配設されている。具体的には、かかる操作手段７は、押圧操作及び回転操作が可能な操作摘みから成り、押圧操作によりファン部材３が回転駆動開始又は停止されるとともに、回転操作により可変抵抗器８（図２参照）を作用させてモータ４に送られる電流を変化させ、当該ファン部材３を任意の回転速度に調整し得るようになっている。
【００２５】
装置本体２内に配設されたロック手段１３は、ロック位置にてパチンコ遊技機Ｐの前扉Ｐａと当接して当該前扉Ｐａの開放を規制するフック状の当接部材１３ａを具備するとともに、当該当接部材１３ａをロック位置と非ロック位置との間で動作させるための駆動機構を有している。かかる駆動機構は、駆動することにより当接部材１３ａをロック位置（図６中実線で示す位置）と非ロック位置（同図中二点鎖線で示す位置）との間で移動（回動）させるロータリーソレノイド１５ａと、駆動することにより当接部材１３ａのロック位置におけるロック状態を維持（保持）するプッシュソレノイド１５ｂとを有している。
【００２６】
尚、当接部材１３ａは、図６に示すように、平面視でフック形状をした樹脂製部材から成り、軽量化と前扉Ｐａへの衝撃緩和の目的で、中央部に開口１３ａａが形成されるとともに、その回動軸１３ａｂが装置本体２の前面に嵌め込み固定されたロックカバー１７内に位置している。かかる回動軸１３ａｂは、ロータリーソレノイド１５ａの回転軸に歯車等の適宜の連結部材を介して連結されている。尚、符号１３ａｃは、当接部材１３ａの先端部を示している。
【００２７】
そして、ロータリーソレノイド１５ａが通電により作動して回転軸が回転することで、当接部材１３ａが図６中の符号ａで示す方向に回動してロック位置に至るようになっている。また、プッシュソレノイド１５ｂは、通電により作動してその駆動軸が進退することで、適宜の連結部材を介して当接部材１３ａをロック位置に維持するように構成されている。而して、隣接するパチンコ遊技機Ｐの前扉Ｐａの前方（ヒンジＰｃが形成された縁部とは反対の縁部における前方）まで当接部材１３ａが回動することにより当該パチンコ遊技機Ｐに対する開閉動作を規制し得るようになっている。尚、ロック手段１３は、装置本体２に対して他の位置に形成されたものとしてもよい。
【００２８】
上記実施形態によれば、装置本体２内にエアカーテン形成手段（ファン部材３及びモータ４）とロック手段（当接部材１３ａ等）との両方を具備しているので、エアカーテンの形成とパチンコ遊技機Ｐの前扉Ｐａに対するロック機能との両方を備えるとともに、それぞれの機能を有した手段を別個配設するものに比べ、設置時の作業性を向上させつつ設置スペースを低減させることができる。
【００２９】
また、本実施形態に係る吐出口６は、装置本体２の前面２ａにおけるロック手段１３が形成された部位以外の上下方向略全域に亘って形成されているので、エアカーテンの高さ方向（上下方向）の幅（空気の流れで形成される壁の高さ）を大きく設定することができ、分煙を強化することができる。更に、ロック手段１３は、パチンコ遊技機Ｐに直接取り付けるものではないので、当該パチンコ遊技機Ｐの交換に伴って交換する必要がない。
【００３０】
更に、吸入口５ａ、５ｂが装置本体２の背面２ｂ及び側面２ｃ（上面又は下面であってもよい）で開口し、ファン部材３の回転駆動により島設備Ｓ内の空気を当該装置本体２内に吸入し得るよう構成されているので、島設備Ｓ内の空気を吸入しつつ前方へ排出させてエアカーテンを形成することにより、低コストで島設備Ｓ内の空気を強制的に循環させることができる。而して、島設備Ｓ内の空気を強制的に循環させることにより、島設備Ｓ内の構成要素や遊技機Ｐ背面或いは遊技球等の遊技媒体に結露してしまうのを回避できるとともに、島設備Ｓ内が過度に温度上昇してしまうのを回避することができる。即ち、本実施形態に係る台間装置は、エアカーテンの形成機能と島設備内の強制循環機能とを併せ持つことができるのである。
【００３１】
また、装置本体２内で上下方向に延びた回転軸Ｌを中心に回転可能に配設されるとともに側面に送風のための羽根３ａが形成された略円筒状のファン部材３を有し、且つ、吸入口５ａ、５ｂが装置本体２の背面２ｂ及び側面２ｃで開口し、吐出口６が当該装置本体２の前面２ａ側で上下方向に延びて開口したので、高さ方向に十分幅広いエアカーテンを形成することができ、煙草の煙等の遮断効果を十分に発揮し得る。
【００３２】
更に、ファン部材３とモータ４とを組み付けた送風ユニットＹを具備し、当該送風ユニットＹを装置本体２内において上下方向に複数並設させたので、高さ方向に十分幅広いエアカーテンを形成することができるとともに、装置本体２内のレイアウトの自由度を向上させることができる。即ち、送風ユニットＹを上下方向に複数並設させる構成とすることにより、吸入口５ａ、５ｂ及び吐出口６の形成位置や他の構成要素の配設関係に応じて送風ユニットＹを任意の位置で配設することができ、レイアウトの自由度を向上させ得るのである。
【００３３】
また更に、装置本体２には、ファン部材３の駆動をオン・オフ操作するための又は当該ファン部材３の回転速度を任意に調整するための操作手段７が形成されたので、遊技者や遊技店の従業員等が必要に応じてファン部材３を駆動させ或いは当該ファン部材３の回転速度を使用状況に応じて調整することができる。尚、本実施形態に係る操作手段７は、押圧操作及び回転操作が可能な操作摘みで構成されているが、他の形態の操作手段（例えば、ファン部材３の駆動をオン・オフ操作するための操作手段と、当該ファン部材３の回転速度を任意に調整するための操作手段とを別個に配設したもの）としてもよい。
【００３４】
以上、本実施形態について説明したが、本発明はこれに限定されるものではなく、例えばロック手段１３は、当接部材１３ａを装置本体２に対して前後方向に摺動させてロック位置と非ロック位置とで移動させるようにしてもよい。また、当接部材１３は、ロック位置において、パチンコ遊技機Ｐの前扉Ｐａと当接した状態であっても、或いは前扉Ｐａの前方において近接した状態であってもよい。
【００３５】
更に、エアカーテン形成手段におけるファン部材３の形態を他のもの（上下方向に延びた回転軸を中心に回転するもの以外のもの、或いは送風のための羽根が側面以外に形成されたもの等）としてもよい。また、操作手段７、表示灯９及び静電霧化微粒子水発生装置１１等を具備しないもの（即ち、エアカーテンの形成及び遊技機のロックのみを行う台間装置等）としてもよく、更には他の機能が付加されたもの（例えば、プリペイドカード投入口等が形成された台間装置等）としてもよい。また、本実施形態においては、パチンコ遊技機Ｐが並設された島設備Ｓに適用されているが、スロットマシン等他の遊技機が並設された島設備に適用することができる。
【産業上の利用可能性】
【００３６】
装置本体の前方に向かって送風することによりエアカーテンを形成可能なエアカーテン形成手段と、遊技機の前扉を固定枠に対して開放するのを規制するロック位置と当該前扉を固定枠に対して開放するのを許容する非ロック位置との間で移動可能なロック手段とが装置本体内に配設された島設備の台間装置であれば、外観形状が異なるもの或いは他の機能が付加されたもの等にも適用できる。
【符号の説明】
【００３７】
１  台間装置
２  装置本体
３  ファン部材（エアカーテン形成手段）
３ａ  羽根
４  モータ（エアカーテン形成手段）
５ａ、５ｂ  吸入口
６  吐出口
７  操作手段
８  可変抵抗器
９  表示灯
１０  噴出口
１１  静電霧化微粒子水発生装置
１２  仕切板
１３  ロック手段
１４  検知センサ
１５ａ  ロータリーソレノイド
１５ｂ  プッシュソレノイド
１６  活性炭フィルタ
１７  ロックカバー
Ｙ  送風ユニット
Ｓ  島設備
Ｐ  パチンコ遊技機
Ｐａ  前扉
Ｐｂ  固定枠
【図１】
2011030914.tif 000003
【図２】
2011030914.tif 000004
【図３】
2011030914.tif 000005
【図４】
2011030914.tif 000006
【図５】
2011030914.tif 000007
【図６】
2011030914.tif 000008
【図７】
2011030914.tif 000009
【図８】
2011030914.tif 000010
【図９】
2011030914.tif 000011